(57)【要約】      （修正有）【課題】速やかに取り外し可能で洗浄と放熱に便利であるコロナ・ジェネレータを提供すること。【解決手段】第一と第二の位置決めスリーブ７，８を絶縁スリーブ２の両端部に固着し、カバー４の凸塊４２をその第一の位置決めスリーブ７における位置決め孔７６を貫通させると共に、その位置決め孔７６の外方へ突出露出させ、アース・チューブ３の連接板３１が対応して前記第一の位置決めスリーブ７の外方へ露出され、ハイ・ボルテージ・ポーラー・プレート６の導電板６４がその第一の位置決めスリーブ７の受け入れ孔７５を貫通すると共に、その第一の位置決めスリーブ７の外方へ露出され、ハイ・ボルテージ・ポーラー・プレート６の両端部をそれらの第一と第二の位置決めスリー部同士７，８によって挟持し、穏やかに前記絶縁スリーブ２の表面に位置決めさせる。【選択図】図２Ａ
2005183290.tif 000002
【特許請求の範囲】
【請求項１】
絶縁の機能を有する絶縁スリーブと、
一端部より連接板が延出形成され、前記絶縁スリーブ内に収納され、且つ前記連接板が前記絶縁スリーブより突出露出されるように設定される、アース・チューブと、
上面部の縁部に凸塊が突出形成され、且つその凸塊には受け入れ孔が形成され、前記絶縁スリー部に結合され、前記アース・チューブの端部と結合し合い、前記アース・チューブの連接板を通させると共に、前記凸塊における受け入れ孔より突出露出させ、且つ前記絶縁スリーブの上面部に絶縁層を塗布し、それによって前記アース・チューブと一緒に前記絶縁スリー部に封入されるように設定される、カバーと、
自体には複数の穴部と排気孔を有し、且つそれぞれの穴部の内側にシートを係合し、且つ一端部より導電板が延出形成され、前記絶縁スリーブの外表面部に覆われ、且つその上における導電板を前記絶縁スリーブより突出露出させるように設定される、少なく一枚以上のハイ・ボルテージ・ポーラー・プレートと、
側縁部の周縁部に二つの対応しあうウインド・ガイド・チャンネルが形成され、且つ二つの対応しあう受け入れ孔が形成され、且つその第一者の側辺部における適所に位置決め孔が形成され、両者を前記絶縁スリーブの両端部に固着し、前記カバーの凸塊をその第一者における位置決め孔を貫通させると共に、その位置決め孔の外方へ突出露出させ、前記アース・チューブの連接板が対応して前記第一者の外方へ露出され、他に、前記ハイ・ボルテージ・ポーラー・プレートの導電板がその第一者の受け入れ孔を貫通すると共に、その第一者の外方へ露出され、ハイ・ボルテージ・ポーラー・プレートの両端部をそれらの第一者と第二者によって挟持し、穏やかに前記絶縁スリーブの表面に位置決めさせるように設定される、第一と第二の位置決めスリーブと、を備えていることを特徴とする、
コロナ・ジェネレータ。
【請求項２】
前記カバーの側辺部に凹槽が形成されると共に、当該凹槽が前記凸塊の受け入れ孔と対応し合い、アース・チューブの連接板をその凹槽を通して前記凸塊における受け入れ孔内に挿入させ、また、前記カバーによって前記絶縁スリーブを結合する場合に、その上面部が前記絶縁スリーブの開口部と同一の平面に位置するようになり、絶縁層の塗布に利するように設定されることを特徴とする、
請求項１に記載のコロナ・ジェネレータ。
【請求項３】
前記ハイ・ボルテージ・ポーラー・プレートが凹み円弧状に形成され、且つその上には均一的に係合されるシートが前記ハイ・ボルテージ・ポーラー・プレートのそれぞれの面積と前記絶縁スリーブと均一的な高さを有するギャップを形成し、通電時に、コロナが前記ハイ・ボルテージ・ポーラー・プレートに均一的に分布でき、且つコロナ生成時の騒音を減少できることを特徴とする、
請求項１に記載のコロナ・ジェネレータ。
【発明の詳細な説明】
【技術分野】
【０００１】
本発明は、コロナ・ジェネレータ（コロナ放電発生装置）に係わり、特に速やかに取り外し可能で洗浄と放熱に便利であるコロナ・ジェネレータに関するものである。
【背景技術】
【０００２】
図１Ａ、Ｂに示すのは、従来のコロナ・ジェネレータを示す説明図であり、それには、主に、ケーシング１を有し、当該ケーシング１の中央部分にスロット１１が形成され、当該スロット１１内にアース・プレート１２とハイ・ボルテージ・ポーラー・プレート１３とが配置されており、且つ前記アース・プレート１２の表面に絶縁層１４を塗布し、それからアース・プレート１２を密封し、それによってアース・プレート１２とハイ・ボルテージ・ポーラー・プレート１３とがショートを生じることを防止する。また、前記ハイ・ボルテージ・ポーラー・プレート１３には複数の穴部１３１が形成され、それらの穴部１３１には位置決め柱１５が結合され、それらの位置決め柱１５の端部１５１が前記穴部１３１に突出係止され、且つ前記の絶縁層１４に当接され、そのため、ハイ・ボルテージ・ポーラー・プレート１３と絶縁層１４との間に均一的な高さを有するギャップ１６を形成して、このギャップ１６を通じてガスの流れを順調に案内することができる。
【０００３】
しかしながら、前記の従来のコロナ・ジェネレータは、アース・プレート１２とハイ・ボルテージ・ポーラー・プレート１３とをケーシング中に密封し、そのため、ケーシング１内におけるハイ・ボルテージ・ポーラー・プレート１３を長期間に亘って使用すると、埃や油気やニコチンなどの不潔物質に付着して汚染され、コロナが均一的にハイ・ボルテージ・ポーラー・プレート１３に分布不能となる。また、ケーシング１が密封状に形成されるので、取り外し不能になる。また、そのスロットのサイズもかなり小さく、使用者はハイ・ボルテージ・ポーラー・プレート１３を洗濯不能になり、長期間に亘って使用されると、容易にコロナ・ジェネレータを損害してしまう。また、ハイ・ボルテージ・ポーラー・プレート１３をケーシング１内に密封すると、ハイ・ボルテージ・ポーラー・プレート１３の放熱スピードが緩慢化して、その使用寿命も短縮されてしまうので、改良の余地がある。
【０００４】
前記の説明から分かるように、前記した従来のコロナ・ジェネレータは依然として多くの課題を有し、好適な設計ではなく、改善すべき必要がある。
【０００５】
本発明は、前記した従来のコロナ・ジェネレータの有する欠点に鑑みて成されたもので、合理的で効果的に前記した諸課題を解消可能なコロナ・ジェネレータを提供することにある。
【発明の開示】
【発明が解決しようとする課題】
【０００６】
本発明は、素早く取り外しできるコロナ・ジェネレータを提供することをその主要な目的とし、使用者はそれぞれの部材に付着した不潔な物質を個別的に洗浄できるので、コロナをハイ・ボルテージ・ポーラー・プレートにノーマルに、且つ均一的に分布させることが出来る。
【０００７】
また、本発明は、ハイ・ボルテージ・ポーラー・プレートを絶縁スリーブの表面に露出させると共に、且つその絶縁スリーブを覆い、その放熱速度を速やかにならせるようにすることを特徴とする、コロナ・ジェネレータを提供することをその次の目的とする。
【課題を解決するための手段】
【０００８】
前記の課題を達成するために、本発明によるコロナ・ジェネレータには、アース・チューブと、絶縁スリーブと、カバーと、ハイ・ボルテージ・ポーラー・プレートと、複数枚のシートと、位置決めスリーブと、を備え、その中、前記アース・チューブが絶縁スリーブの内部に通され、且つ前記下バーを前記アース・チューブの一端に嵌挿し、それをアース・チューブの端部に緊密的に固定させ、且つ前記絶縁スリーブに少なくとも一枚以上のハイ・ボルテージ・ポーラー・プレートを配置し、且つその上に、均一的に複数の穴部と排気孔部を形成し、且つそれらの孔部の内側にシートを係止し、複数枚のシート同士によって、前記はい・ボルテージ・ポーラー・プレートのそれぞれの面積と前記絶縁スリーブとに均一的な高さを有するギャップを形成させ、通電時に、コロナをそれらのハイ・ボルテージ・ポーラー・プレートと絶縁スリーブとの間に均一的に分布させ、また、二つの位置決めスリーブによってそれぞれ前記ハイ・ボルテージ・ポーラー・プレートと前記絶縁スリーブとの両端部を固着し、ハイ・ボルテージ・ポーラー・プレートを穏やかに絶縁スリーブに固定させる。
【発明の効果】
【０００９】
そのため、前記のそれぞれの部材同士がすべて係合の方式によって結合され、いずれのロッキング部材も使用しないため、その組立と取り外しがかなり便利的であり、且つ操作が速やかであり、それぞれの部材が油気や埃などの不潔な物質が付着した場合に、使用者はそれぞれの部材を速やかに取り外し、分解でき、個別に洗浄を実行でき、そのため、コロナがいつでもハイ・ボルテージ・ポーラー・プレートに均一的に分布でき、また、ハイ・ボルテージ・ポーラー・プレートが絶縁スリーブの外方へ露出されるので、放熱を加速する効果が得られる。
【発明を実施するための最良の形態】
【００１０】
図２Ａ，Ｂと図３に示すのは、本発明の提供するコロナ・ジェネレータの構造を示す分解斜視図と組立説明図である。それには、主に、絶縁の機能を有し、ガラス製スリーブやプラスチック・スリーブや他の絶縁スリーブなどを採用できる絶縁スリーブ２と、中空管状に形成され、一端部に連接板３１が延出形成され、且つ前記絶縁スリーブ２内に内嵌され、且つその上における連接板３１が前記絶縁スリーブ２の外方へ突出されるように設計されるアース・チューブ３と、その側辺部に凹槽４１を有し、且つその凹槽４１の上面部の縁部に凸塊４２が突出形成され、その凸塊４２には受け入れ孔４２１が形成されると共に、その受け入れ孔４２１が前記凹槽４１と対応するように形成されるように設計されるカバー４と、を備えている。
【００１１】
その中、前記カバー４を前記絶縁スリーブ２に結合し、それをアース・チューブ３の端部と結合し合わせ、それによってアース・チューブ３の連接板３１を前記凸塊４２の受け入れ孔４２１の外方へ突出露出させ、それによってカバー４によりアース・チューブ３の開口端を封止し、また、その上面部を前記絶縁スリーブ２の上面部と均一的な平面を形成させ、また、前記カバー４と前記絶縁スリーブ２の上面部に絶縁層５を塗布することによって前記カバー４と前記アース・チューブ３とを絶縁スリーブ２の中に封止する。
【００１２】
また、本発明の構成部材には、さらに二枚のハイ・ボルテージ・ポーラー・プレート６を有し、そのハイ・ボルテージ・ポーラー・プレート６は凹み円弧状に形成され、その上には、複数の穴部６１と複数の排気孔６２が均一的に分布され、また、その穴部６１の内側にシート６３を係合し、前記ハイ・ボルテージ・ポーラー・プレート６の一端部に導電板６４が延出形成され、当該ハイ・ボルテージ・ポーラー・プレート６を前記絶縁スリーブ２の外表面部に覆い、且つその上の導電板６４を前記絶縁スリーブ２の外方へ突出露出させ、且つシート６３によって当接し、それによってハイ・ボルテージ・ポーラー・プレート６のそれぞれの面積と前記絶縁スリーブ２とに、均一の高さを有するギャップを形成させ、それによって通電時に、コロナが前記ハイ・ボルテージ・ポーラー・プレート６に均一的に分布させることができ、且つコロナ生成時の騒音を低減できる。
【００１３】
また、本発明は、さらに第一と第二の位置決めスリーブ７，８を有し、それらの第一と第二の位置決めスリーブ７，８の両側にそれぞれ対応する凹部７１，７２，８１，８２が形成され、且つそれぞれの凹部７１，８１には固定柱７３，８３が延出形成され、それらの固定柱７３，８３には連接孔７３１，８３１が形成され、他に、前記第一と第二の位置決めスリーブ７，８の側辺部の周縁部にそれぞれ二つの対応しあうウインド・ガイド・チャンネル７４，８４が形成され、また、その上には二つの対応しあう受け入れ孔７５，８５が形成され、また、前記第一の位置決めスリーブ７の側辺部の適所に位置決め孔７６が形成されている。
【００１４】
前記二つの位置決めスリーブ７，８を前記絶縁スリーブ２の両端部に掛けて、前記カバー４の凸塊４２を前記第一の位置決めスリーブ７の位置決め孔７６に挿通させると共に、位置決め孔７６の外方へ突出露出させ、前記アース・チューブ３の連接板３１が前記第一の位置決めスリーブ７の外方へも突出して露出するようになり、また、前記ハイ・ボルテージ・ポーラー・プレート６の導電板６４が前記第一の位置決めスリーブ７の受け入れ孔７５より突出し、且つ第一の位置決めスリーブ７の外方へ露出されるので、ハイ・ボルテージ・ポーラー・プレート６の両端部を第一と第二の位置決めスリーブ７，８によって挟持し、前記絶縁スリーブ２の表面に安定して位置決めすることができるようになる。
【００１５】
前記したそれぞれの構成部材を組立てると、本発明のコロナ・ジェネレータを形成する。
【００１６】
また、図４は、本発明のコロナ・ジェネレータの実施例を示す説明図であり、オゾン・デバイス９を例として言う場合、前記第一と第二の位置決めスリーブ７，８の固定柱７３，８３に固定ベース１０を結合してもよく、それによって前記固定ベース１０によって前記オゾン・デバイス９の内部に結合できる。オゾン・デバイス９の内部のファン９１が回転してウインドを生成する場合、そのウインドが前記位置決めスリーブのウインド・ガイド・チャンネル７４，８４を介してハイ・ボルテージ・ポーラー・プレート６に吹かせることが出来、且つそのハイ・ボルテージ・ポーラー・プレート６の排気孔６２より排気でき、そのガスを前記ハイ・ボルテージ・ポーラー・プレート６のすべての部位に伝えて、そのハイ・ボルテージ・ポーラー・プレート６を経過したガスが殺菌効果を有するオゾンが形成されて、空気の浄化を図ることができる。他に、ハイ・ボルテージ・ポーラー・プレート６が前記絶縁スリーブ２の外表面に露出されるため、その放熱速度がかなり速くなり、オゾン生成量を向上する効果を得られる。
【図面の簡単な説明】
【００１７】
【図１Ａ】従来のコロナ・ジェネレータの構成を示す説明図で、コロナ・ジェネレータの斜視図である。
【図１Ｂ】従来のコロナ・ジェネレータの構成を示す説明図で、コロナ・ジェネレータの断面図である。
【図２Ａ】本発明のコロナ・ジェネレータの説明図で、コロナ・ジェネレータの分解斜視図である。
【図２Ｂ】本発明のコロナ・ジェネレータの説明図で、コロナ・ジェネレータの組立図である。
【図３】本発明のコロナ・ジェネレータの斜視図である。
【図４】本発明のコロナ・ジェネレータをオゾン発生装置に適用した説明図である。
【符号の説明】
【００１８】
１        ケーシング
２        絶縁スリーブ
３        アース・チューブ
４        カバー
５        絶縁層
６        ハイ・ボルテージ・ポーラー・プレート
７        第一の位置決めスリーブ
８        第二の位置決めスリーブ
９        オゾン・デバイス
１０      固定ベース
１１      スロット
１２      アース・プレート
１３      ハイ・ボルテージ・ポーラー・プレート
１４      絶縁層
１５      位置決め柱
１６      ギャップ
３１      連接板
４２      凸塊
６１      穴部
６２      排気孔
６３      シート
６４      導電板
７１      凹部
７２      凹部
７３      固定柱
７４      ウインド・ガイド・チャンネル
７５      受け入れ孔
７６      位置決め孔
８１      凹部
８２      凹部
８３      固定柱
８４      ウインド・ガイド・チャンネル
８５      受け入れ孔
９１      ファン
４２１    受け入れ孔
７３１    連接孔
８３１    連接孔
【図１Ａ】
2005183290.tif 000003
【図１Ｂ】
2005183290.tif 000004
【図２Ａ】
2005183290.tif 000005
【図２Ｂ】
2005183290.tif 000006
【図３】
2005183290.tif 000007
【図４】
2005183290.tif 000008